(57)【特許請求の範囲】
【請求項１】
画像読み取り装置で原稿から読み取った原画像を印刷用紙に印刷する印刷装置において、前記原画像を前記印刷用紙に印刷する前に、前記原画像と、前記印刷用紙の縦方向又は横方向に対する前記原画像の傾きに関連する画像とを重畳した重畳画像を表示する表示手段を有し、
前記表示手段は、前記原画像と、該原画像を前記印刷用紙の縦方向又は横方向に関して１８０度反転した鏡像画像とを重畳表示することにより、前記重畳画像の表示を行うことを特徴とする印刷装置。
【請求項２】
前記原画像が読み取られるごとに、前記原画像を前記印刷用紙に印刷させるか否かを制御する制御手段と、
前記表示手段に表示された前記重畳画像において、前記印刷用紙の縦方向又は横方向に対する前記原画像の傾きがあるか否かを示す情報を入力する入力手段を備え、
前記制御手段は、前記入力手段により、前記原画像の傾きが有ることを示す情報が入力された場合、前記原画像の印刷を不可能にする制御を行い、前記入力手段により、前記原画像の傾きが無いことを示す情報が入力された場合、前記原画像の印刷を可能にする制御を行うことを特徴とする請求項１に記載の印刷装置。
【請求項３】
前記鏡像画像と前記原画像との間で、表示濃度、或いは表示色のうちの少なくとも一方を異ならせて、前記重畳画像を生成する重畳画像生成手段を備えることを特徴とする請求項１又は２に記載の印刷装置。
【発明の詳細な説明】
【技術分野】
【０００１】
本発明は、原稿から原画像を読み取る画像読み取り装置を備えた印刷装置に関し、特に、印刷用紙の縦方向または横方向に対する原画像の傾きに関する表示を行う印刷装置に関する。
【背景技術】
【０００２】
例えば、孔版印刷装置においては、印刷の対象となる原稿をスキャナ等の画像読み取り装置で読み取り、読み取った原画像に基づいて孔版原紙を製版する。そして、製版された孔版原紙をドラムに着版して印刷を行う。
【０００３】
図１６は、従来における孔版印刷装置１１０の構成を示すブロック図である。孔版印刷装置１１０は、原稿を走査して、原稿の画像（以下、原画像）を読み取る画像読み取り装置１０１と、製版部１０２と、印刷部１０３と、操作パネル部１０４と、記憶部１０５と、制御部１０６と、他の装置との間で各種データの送受信を行うインターフェース部１０７と、を備えている。
【０００４】
製版部１０２は、画像読み取り装置１０１で読み取られた原画像のデータ（ビットマップ展開された各画素に対する画素値、以下、原画像データという）を二値化処理して製版データを生成し、この製版データに基づいて孔版原紙を製版する。
【０００５】
印刷部１０３は、第１ドラム１０３ａと第２ドラム１０３ｂを備え、製版部１０２で製版された孔版原紙を第１ドラム１０３ａと第２ドラム１０３ｂに着版し、第１ドラム１０３ａで印刷用紙の第１面（表面）を印刷し、第２ドラム１０３ｂで印刷用紙の第２面（裏面）を印刷する。
【０００６】
操作パネル部１０４は、操作部１０４ａと表示部１０４ｂを備えている。操作部１０４ａは、スイッチやタッチパネル等で構成され、ユーザによる各種の指示が入力される。表示部１０４ｂは、ランプや液晶パネル等で構成され、孔版印刷装置１１０に関する各種の情報を表示してユーザに通知する。
【０００７】
制御部１０６は、ＲＯＭ（図示省略）に記憶されている制御プログラム及びデータに従って、孔版印刷装置１１０全体を総括的に制御する。
【０００８】
記憶部１０５は、記憶装置やページメモリ（いずれも図示省略）等で構成され原画像データや、各種データを記憶する。
【０００９】
孔版印刷装置１１０において、画像読み取り装置１０１にて印刷対象となる原稿から、原画像が読み取られ、読み取られた原画像は、原画像データとして製版部１０２に送られ、製版部１０２により、原画像データは二値化処理されて製版データが生成される。更に、孔版原紙が製版データに基づいて製版される。そして、印刷部１０３にて、製版された孔版原紙は第１ドラム１０３ａに着版される。また、両面印刷する場合には、第２面に印刷する原稿が第１面の原稿と同様に処理されて孔版原紙が製版され、製版された孔版原紙は第２ドラム１０３ｂに着版される。
【００１０】
そして、印刷部１０３にてテストプリントが行われて、ユーザによりテストプリントが正常であることが確認された後に、第１ドラム１０３ａ，第２ドラム１０３ｂの順に印刷用紙が搬送されて、印刷が行われる。
【００１１】
ここで、孔版印刷装置１１０では、画像読み取り装置１０１で原稿を読み取る際に、原稿が画像読み取り装置１０１の原稿セット位置に正しく載置されない場合や、原稿内において、文字、画像自体が原稿用紙の縦方向や横方向の辺に対して傾いて記録されている場合があり、このような状態で読み取られた原画像をそのまま孔版印刷装置１１０で印刷すると、例えば図６に示すように、原画像内の文字や画像が印刷用紙の横方向に沿って印刷される方向（たとえば、図６に示すＸ１方向）が、印刷用紙の横方向（たとえば、図６に示すＸ２方向）に対して傾斜した状態で、原画像が印刷用紙に印刷される。本明細書では、Ｘ２方向に対するＸ１方向の傾きのように、印刷用紙の横方向または縦方向に対する、原画像内の文字や画像が印刷用紙の横方向または縦方向に沿って印刷される方向の傾きを、「印刷用紙の横方向または縦方向に対する原画像の傾き、または、略して単に、原画像の傾き」という。
【００１２】
そこで、印刷前に原画像の傾きを検出して、この傾きが発生しないように補正する技術として、従来より、特開２００４−５４５９３号公報（特許文献１）に記載されたものが知られている。特許文献１では、原画像傾き算出手段、原画像傾き補正手段が、印刷前に画像処理により、第１面、第２面における原画像の傾きを検出・補正することによって、印刷物に生じる上記傾きを検出・補正する技術が開示されている。
【特許文献１】特開２００４−５４５９３号公報
【発明の開示】
【発明が解決しようとする課題】
【００１３】
しかしながら、特許文献１に開示された従来技術では、原画像傾き算出手段、原画像傾き補正手段を実現するための電子回路が必要になり、部品点数が増大し、印刷装置の大規模化、コストアップの問題があった。
【００１４】
一方、上述の問題点を回避するために、原画像を印刷用紙に印刷して、上記原画像の傾きを確認し、上述の印刷、確認を何度か繰り返した後、原画像の傾きがないことを確認してから、原画像を印刷用紙に印刷する手法がある。
【００１５】
しかしながら、このような手法では、原画像の傾きの確認のために印刷用紙を無駄にしてしまうという問題があった。
【００１６】
本発明の目的は、このような従来の課題を解決するためになされたものであり、その目的とするところは、原画像の傾きの発生を防止するような印刷を行う場合において、原画像傾き算出手段、原画像傾き補正手段を用いて印刷装置が大規模化してしまうことやコストアップの問題を回避し、且つ、原画像の傾きの確認のために印刷用紙を無駄にしない印刷装置を提供することにある。
【課題を解決するための手段】
【００１７】
本発明の印刷装置は、画像読み取り装置で原稿から読み取った原画像を印刷用紙に印刷する印刷装置において、前記原画像を前記印刷用紙に印刷する前に、前記原画像と、前記印刷用紙の縦方向又は横方向に対する前記原画像の傾きに関連する画像とを重畳した重畳画像を表示する表示手段を有し、前記表示手段は、前記原画像と、該原画像を前記印刷用紙の縦方向又は横方向に関して１８０度反転した鏡像画像とを重畳表示することにより、前記重畳画像の表示を行うことを特徴とするものである。
【００１８】
本発明によれば、原画像を印刷用紙に印刷する前に、原画像の印刷用紙の縦方向または横方向に対する傾きに関連する画像を示す重畳画像を表示するので、原画像の傾きの確認のために、何度も印刷用紙に原画像を印刷する必要がなく、原画像の読み取りと、重畳画像の表示の繰り返しにより、原画像の傾きの発生がなくなるまで、原画像の傾きを確認できる。その後、ユーザは、原画像の傾きがないことを確認してから、印刷装置に原画像を印刷用紙に印刷させることが可能である。このため、原画像の傾きの確認のために印刷用紙を無駄にしない印刷装置の提供が可能となる。
【００１９】
また、本発明によれば、上記表示において、印刷用紙の縦方向または横方向に対する原画像の傾きの発生を、ユーザが認識し易い態様で示すことが可能となるので、ユーザは、印刷用紙の縦方向または横方向に対する原画像の傾きを簡単に知ることができる。このため、ユーザは、原画像の傾きがないことを確認してから、印刷装置に原画像を印刷用紙に印刷させる場合において、原画像の傾きの有無を判断するのに時間がかかってしまうことがない。また、原画像傾き算出手段、原画像傾き補正手段を用いて原画像の傾きを検出・補正することをしないので、検出・補正に要する処理時間が不要となる。この結果、原画像を読み取ってから、原画像の傾きがない状態で、原画像を印刷用紙に印刷するのに要する時間の短縮化を可能にすることができる。
【００２０】
また、原画像傾き算出手段、原画像傾き補正手段等を用いて画像の傾きを検出・補正する必要がないので、印刷装置を大規模化することなく、コストアップの問題を回避できる。
【００２１】
したがって、本発明によれば、原画像の傾きの確認のために印刷用紙を無駄にせず、原画像を読み取ってから、原画像の傾きがない状態で、原画像を印刷用紙に印刷するのに要する時間の短縮化を可能にすることができ、印刷装置を大規模化することなく、コストアップの問題を回避できる。
【００２３】
本発明によれば、原画像と、原画像を印刷用紙の縦方向または横方向に関して１８０度反転した鏡像画像とを重畳表示することにより、重畳画像の表示を行うので、たとえば、印刷用紙の縦方向または横方向に対する原画像の傾きが有る場合には、重畳画像上で、原画像データと鏡像画像データとの重なりが生じるので、印刷用紙の縦方向または横方向に対する原画像の傾きが、原画像だけが表示される場合に比べて、強調される。すなわち、印刷用紙の縦方向または横方向に対する原画像の傾きに対応するものとして、図１０に示すように、原画像の方向（Ｘ１方向）に対する鏡像画像の方向（Ｘ３方向）の傾き（傾きα２）が表示される。ここで、印刷用紙の縦方向または横方向に対する原画像の傾き（図６のα１）の２倍の傾きが、原画像の方向に対する鏡像画像の方向の傾きに現れるので、印刷用紙の縦方向または横方向に対する原画像の傾きがよりユーザに明確に認識しやすい態様で表示され、ユーザは、印刷用紙の縦方向または横方向に対する原画像の傾きを簡単、かつ、正確に知ることができる。この結果、原画像の傾きが一層ない状態で、原画像を印刷用紙に印刷することが可能となる。
【００２４】
また、上記印刷装置において、前記原画像が読み取られるごとに、前記原画像を前記印刷用紙に印刷させるか否かを制御する制御手段と、前記表示手段に表示された前記重畳画像において、前記印刷用紙の縦方向または横方向に対する前記原画像の傾きがあるか否かを示す情報を入力する入力手段を備え、前記制御手段は、前記入力手段により、前記原画像の傾きが有ることを示す情報が入力された場合、前記原画像の印刷を不可能にする制御を行い、前記入力手段により、前記原画像の傾きが無いことを示す情報が入力された場合、前記原画像の印刷を可能にする制御を行うようにすることができる。
【００２５】
本発明によれば、制御手段は、原画像が読み取られるごとに、原画像を印刷用紙に印刷させるか否かを制御し、さらに、入力手段により、前記原画像の傾きが有ることを示す情報が入力された場合、前記原画像の印刷を不可能にする制御を行い、前記入力手段により、前記原画像の傾きが無いことを示す情報が入力された場合、前記原画像の印刷を可能にする制御を行うので、原画像の傾きがないことを確認した場合に、再度、印刷装置が原画像を読み取る処理を行う必要がなく、そのまま、原画像の傾きがない状態で、原画像を印刷用紙に印刷できる。この結果、原画像を読み取ってから、原画像の傾きがない状態で、原画像を印刷用紙に印刷するのに要する時間の一層の短縮化を可能にすることができる。
【００２６】
また、上記印刷装置において、前記鏡像画像と前記原画像との間で、表示濃度、或いは表示色のうちの少なくとも一方を異ならせて、前記重畳画像を生成する重畳画像生成手段を備えるようにすることもできる。
【００２７】
本発明によれば、重畳画像生成手段は、前記鏡像画像と前記原画像との間で、表示濃度或いは表示色のうちの少なくとも一方を異ならせて、前記重畳画像を生成するので、原画像と鏡像画像とをユーザが識別し易い態様で表示することができ、原画像と鏡像画像とを混同してしまうようなことはなく、原画像の方向に対する鏡像画像データの方向の傾きをユーザが簡単に知ることができる。
【発明の効果】
【００３１】
以上説明したように、本発明によれば、原画像の傾きの発生を防止するような印刷を行う場合において、原画像傾き算出手段、原画像傾き補正手段を用いて印刷装置が大規模化してしまうことやコストアップの問題を回避し、且つ、原画像の傾きの確認のために印刷用紙を無駄にしないようにできる。
【発明を実施するための最良の形態】
【００３２】
以下、本発明の実施形態を図面に基づいて説明する。
【００３３】
（第１の実施形態）
図１は、本発明の第１の実施形態に係る印刷装置として、孔版印刷装置１０の構成を示すブロック図である。孔版印刷装置１０は、画像読み取り装置１と、画像処理部８と、製版部２と、印刷部３と、操作パネル部４と、記憶部５と、制御部６と、他の装置との間でのデータの送受信を行うインターフェース部７と、を備えている。
【００３４】
画像読み取り装置１は、原稿を載置するガラス台及び画像読み取り用の光学系（いずれも図示省略）を備え、ガラス台上の原稿セット位置に載置された原稿を光学系で走査することにより、原画像を読み取り、読み取った原画像を原画像データとして取得する。この際、原画像データにおいて、各画素に対する画素値（グレースケール画像の場合、たとえば、画素値は、０から２５５の値をとり、カラー画像の場合、たとえば、画素値は、Ｒ、Ｇ、Ｂ成分ごとに、０から２５５の値をとる）は、所定の座標（たとえば、ガラス台の所定位置を原点とした２次元座標）上での位置データ（たとえば、２次元座標上の（Ｘ、Ｙ）など）と対応づけられている。この光学系、走査処理、読み取り、取得処理については、公知技術であるので、詳細な説明は省略する。
【００３５】
画像処理部８は、画像読み取り装置１で取得された原画像を、印刷用紙の縦方向または横方向に関して１８０度反転した鏡像画像を生成する。画像処理部８は、具体的には、後述するように、鏡像画像データ（ビットマップ展開された各画素に対する画素値であり、印刷用紙の縦方向または横方向に関して原画像の線対称な画像のデータ）を生成する。図５，６は、画像読み取り装置により読み取られた原画像２００を、印刷用紙１００上に配置させた様子を示す模式図である。原稿に文字、画像がどのように記録されているのか、原稿がガラス台にどのようにセットされるかによって、印刷用紙１００に対する原画像２００の配置の様子が、図５，６のように異なってくる。鏡像画像２０１の生成について、図５乃至８を用いて具体的に説明する。たとえば、図６に示すように、印刷用紙１００の横方向は、Ｘ２方向で表され、印刷用紙１００の縦方向は、Ｙ２方向で表され、原画像２００内の文字や画像が印刷用紙１００の横方向（Ｘ２方向）に沿って印刷される方向は、Ｘ１方向で表される。画像処理部８は、上述した位置データに基づいて、読み取った原画像を、印刷用紙１００上に配置させる処理を行い（図５，６）、Ｙ２方向に関して、１８０度反転させた鏡像画像２０１を生成する処理を行う（図７，８参照）。たとえば、画像処理部８は、図６に示す原画像２００を、印刷用紙１００の横方向（Ｘ２方向）の中心線（Ｙ２方向に平行な線）に関して１８０度反転させた鏡像画像２０１を生成する（図８参照）。ただし、画像処理部８は、図６に示す原画像２００を、印刷用紙１００の横方向（Ｘ２方向）の中心線以外の線（Ｙ２方向に平行な線）に関して１８０度反転させた鏡像画像２０１を生成するようにしてもよい。
【００３６】
画像処理部８は、鏡像画像２０１の生成として、具体的には、鏡像画像データ（ビットマップ展開された各画素に対する画素値であり、各画素は、上述の所定の座標上の位置データと対応付けられている）を生成する。たとえば、鏡像画像２０１が印刷用紙１００に対して、図７，８に示すように配置されるように、上述した位置データが、鏡像画像データの各画素と対応付けられている。
【００３７】
なお、ここでは、一例として、原画像２００を、印刷用紙１００の縦方向に関して１８０度反転した鏡像画像２０１を生成する場合の説明を行ったが、印刷用紙１００の横方向に関して１８０度反転した鏡像画像２０１を生成する場合も本発明は同様に適用可能である。
【００３８】
製版部２は、画像読み取り装置１で読み取られた原画像データを二値化処理した製版データにより孔版原紙を製版する。
【００３９】
印刷部３は、第１ドラム３ａと第２ドラム３ｂを備えており、第１ドラム３ａ，第２ドラム３ｂに、製版部２で製版された孔版原紙を着版し、供給される印刷用紙の、第１面（表面）に第１ドラム３ａによる印刷を行い、次いでその第２面（裏面）に第２ドラム３ｂによる印刷を行う。
【００４０】
操作パネル部４は、操作部（入力手段）４ａと表示部４ｂ（表示手段）を備えている。操作部４ａは、スイッチやタッチパネル等で構成され、ユーザによる各種の指示が入力される。また、操作部４ａは、後述するように、表示部４ｂに表示された重畳画像において、印刷用紙の縦方向または横方向に対する原画像の傾きがあるか否かを示す情報を、ユーザの操作により、入力する入力手段の機能を有する。
【００４１】
表示部４ｂは、ランプや液晶パネル等で構成され、孔版印刷装置に関する各種の情報を表示して、ユーザに通知する。また、表示部４ｂは、原画像と、鏡像画像とを重畳表示することにより、後述の重畳画像の表示を行う。
【００４２】
記憶部５は、各種データを記憶する記憶装置（図示省略）や画像処理に適したページメモリ５ａ等を備えている。ページメモリ５ａには、原画像データなどが記憶される。この際、原画像が印刷用紙に対してたとえば、図５，６に示すように配置されるように、上述した位置データが、原画像データの各画素と対応付けられている。
【００４３】
制御部６は、ＲＯＭ（図示省略）に記憶されている制御プログラム及びデータに従って、孔版印刷装置１０の各部を制御する。制御部６は、鏡像画像と前記原画像との間で、表示濃度、或いは表示色のうちの少なくとも一方を異ならせて、前記重畳画像を生成する。この生成処理の詳細な説明の一例を以下に示す。
【００４４】
制御部６は、画像処理部８で生成された鏡像画像の表示濃度の低下処理を行う。具体的には、たとえば、制御部６は、鏡像画像データに含まれる文字領域、画像領域に対応する各画素値から、一定値を差し引く処理を行う。文字領域などの判別の仕方は、公知技術なので、ここでは説明を省略する。なお、制御部６は、画像処理部８で生成された鏡像画像の表示濃度を高くする処理を行ってもよいし、画像処理部８で生成された鏡像画像の表示色を、原画像の表示色と異なるようにしてもよい。
【００４５】
そして、制御部６は、ページメモリ５ａに記憶された原画像データ、原画像データの各画素に対応付けられている位置データと、表示濃度の低下処理が施された鏡像画像データ、鏡像画像データの各画素に対応付けられている位置データとに基づいて、原画像及び表示濃度の低下処理が施された鏡像画像が重畳した重畳画像のデータ（ビットマップ展開された各画素に対する画素値、以下、重畳画像データという）を生成する。この重畳画像が印刷用紙に対してたとえば、図９，１０に示すように配置されるように、上述した位置データが、重畳画像データの各画素と対応付けられている。この重畳の仕方については、たとえば、原画像の重心位置と、鏡像画像の重心位置とが一致するように、重ねあわされてもよいし、原画像の一部と、鏡像画像の一部とが重ね合わさるようにしてもよい。制御部６は、生成した重畳画像データと、重畳画像データの各画素と対応付けられている位置データとに基づいて、印刷用紙上に配置される重畳画像を、表示部４ｂに表示させる。たとえば、図９、１０は、図５、６の原画像２００と図７、８の鏡像画像２０１とをそれぞれ重畳して表示部４ｂに表示される重畳画像３００を示す。図９は原画像の傾きが無い場合の例を示しており、図１０は原画像の傾きが有る場合の例を示している。
【００４６】
また、制御部６は、原画像が読み取られるごとに、原画像を印刷用紙に印刷させるか否かを制御する。具体的には、制御部６は、操作部４ａにより、原画像の傾きが有ることを示す情報が入力された場合、原画像の印刷を不可能にする制御を行い、原画像の傾きが無いことを示す情報が入力された場合、原画像の印刷を可能にする制御を行う。この処理の詳細については、後述する。
【００４７】
次に、本実施形態に係る孔版印刷装置１０の動作（印刷制御処理）を、図２〜図４に示すフローチャート、及び図５〜図１０を参照して説明する。
【００４８】
まず、図２のステップＳ３１において、操作パネル部４内の読み取り開始ボタンの押圧操作などによって行われるユーザの原稿読み取りの指示に基づいて、原稿読み取り装置１は、光学系を用いて、ガラス台上の原稿セット位置に載置された原稿を読み取り、原画像データを取得し、制御部６は、原画像データをページメモリ５ａに記憶する。たとえば、図５に示す原画像に対応する原画像データがページメモリ５ａに記憶される。
【００４９】
ステップＳ３２において、画像処理部８は、ページメモリ５ａに記憶されている原画像データに対応する原画像を印刷用紙の縦方向または横方向に関して１８０度反転した鏡像画像（鏡像画像データ）を生成し、鏡像画像（鏡像画像データ）の表示濃度の低下処理を行う。たとえば、図７、８では、図５、６の原画像を印刷用紙の縦方向（Ｙ１方向）に関して１８０度反転した鏡像画像が生成され、表示濃度の低下処理が施され、原画像の表示濃度に比べ、鏡像画像の表示濃度の方が低くなっている。表示濃度の低下処理は鏡像画像と原画像を重畳表示したとき、ユーザにとって、鏡像画像と原画像との識別を容易にするための処理である。
【００５０】
ステップＳ３３において、制御部６は、ページメモリ５ａに記憶されている原画像データと画像処理部８で生成された鏡像画像データとに基づいて、重畳画像データを生成し、重畳画像データに基づいて、重畳画像を表示部４ｂに表示させる。
【００５１】
ユーザは表示部４ｂに表示される重畳画像を目視チェックし、印刷用紙の横方向に対する原画像の傾きの有無を判断する。即ち、ユーザは表示部４ｂに表示された重畳画像を見ながら、原画像内の文字或いは画像の印刷用紙の横方向に沿った並びの方向（図１０でいうＸ１方向）に対する、鏡像画像内の文字或いは画像の印刷用紙の横方向に沿った並びの方向（図１０でいうＸ３方向）の傾き（すなわち、原画像の方向に対する鏡像画像の方向の傾き、たとえば、図１０において、角度α２で示される）の有無（角度α２が０か否か）を判断する。
【００５２】
ここで、印刷用紙の横方向に対する原画像の傾き（たとえば、図６に示す角度α１）の２倍の傾きが、原画像の方向に対する鏡像画像の方向の傾き（図１０に示す角度α２）に現れる。たとえば、図６に示すように、印刷用紙の横方向（Ｘ２方向）に対して、原画像の傾きが有る場合（角度α１が傾きに対応）、図８に示すように、印刷用紙の横方向（Ｘ２方向）に対して鏡像画像の傾きは、印刷用紙の横方向に関して反対方向になる（角度−α１が傾きに対応）。重畳画像では、図１０に示すように、原画像の方向（Ｘ１方向）に対する鏡像画像の方向（Ｘ３方向）の傾き（図１０に示す角度α２）が、原画像の傾きと鏡像画像の傾きとを合わせたものになる。
【００５３】
この結果、重畳画像の表示によって、原画像の傾きが強調されて表示されるので、ユーザは、表示された重畳画像を見ることにより、表示された原画像のみを見る場合に比べて、原画像の傾きがより明確にわかる。
【００５４】
そして、ステップＳ３４では、制御部６は、原画像の傾きの有無を入力するように指示する情報を表示部４ｂに表示させる。ユーザは、操作部４ａを用いて、原画像の傾きがあるか否かを示す情報を入力する。制御部６は、原画像の傾きがあることを示す情報が入力された場合、ステップ３５の処理へ移行し、原画像の傾きがないことを示す情報が入力された場合、ステップ３６の処理へ移行する。
【００５５】
ステップ３５では、制御部６は、「原画像の傾きの原因を究明し、その原因を除去した上で、原稿の読み取りから処理をやり直すこと」を指示する情報を表示部４ｂに表示させ、ステップ３１における操作パネル４内の読み取り開始ボタン（図示せず）の押圧操作が行われるまで待機する。また、制御部６は、ページメモリ５ａに記憶されている原画像データを消去する。
【００５６】
ここで、ユーザは、原画像の傾き発生の原因を究明し、その原因を除去した上で原稿を、ガラス台上の原稿セット位置に置いて、再度、操作パネル４内の読み取り開始ボタンの押圧操作を行う。原画像の傾き発生の原因を除去する例として、原稿を画像読み取り装置１の原稿セット位置に正確に載置するとか、原稿内の文字、画像自体が原稿用紙の縦方向または横方向に対して傾いて記録されている場合には、その記録を修正するなどである。
【００５７】
ステップ３６では、制御部６は、原画像データを、製版部２に送り、製版処理を行うように指示する。製版部２は、原画像データの二値化処理を行い、製版データを生成し、製版データに基づいて、孔版原紙を製版する。
【００５８】
ここで、制御部６は、操作部４ａから、原画像の傾きがないことを示す情報が入力されるまで、ステップ３６以降の処理（製版、印刷処理）を行わない。
【００５９】
ステップＳ３７において、製版部２は、孔版原紙の製版処理が終了した場合には、そのことを示す情報を制御部６に送る。制御部６は、印刷部３に対して、製版された孔版原紙を第１ドラム３ａに着版する処理を行うように指示する。印刷部３は、製版された孔版原紙を第１ドラム３ａに着版する。印刷部３は、着版処理が終了すると、そのことを示す情報を制御部６に送る。制御部６は、上述したステップ３１からステップ３７までの処理により、印刷用紙の第１面（たとえば、印刷用紙の表の面）に原画像を印刷するために必要な処理が完了したと認識する。
【００６０】
ステップＳ３８において、制御部６は、印刷用紙の第２面（たとえば、印刷用紙の裏面）の印刷を行うか否かを問い合わせる情報を表示部４ｂに表示させる。ユーザは、操作部４ａを用いて、第２面の印刷を行うか否かを示す情報を入力する。制御部６は、第２面の印刷を行うことを示す情報が入力された場合、ステップ３９の処理へ移行し、第２面の印刷を行わないことを示す情報が入力された場合、ステップ４６の処理へ移行する。
【００６１】
ステップＳ３９からステップ４５までの処理は、上述したステップ３１からステップ３７までの処理と、読み取られる原稿が異なる点以外は、同様であるので、説明を省略する。なお、ステップ３１によって読み取られた原画像を、第１面用原画像といい、ステップ３９によって読み取られた原画像を、第２面用原画像という。
【００６２】
ステップＳ４６において、制御部６は、ステップ３７において印刷用紙の第１面に第１面用原画像を印刷するために必要な処理が完了したか、または、ステップ４５において、印刷用紙の第２面（たとえば、印刷用紙の表の面）に第２面用原画像を印刷するために必要な処理が完了したことを認識した場合、図示しない給紙機構を制御して、印刷用紙を印刷部３に１枚給紙し、印刷部３に対して、テストプリントを行うことを指示する。印刷部３は、テストプリント（第１ドラム３ａを用いて印刷用紙の第１面に第１面用原画像を印刷するか、または、第１ドラム３ａを用いて印刷用紙の第１面に第１面用原画像を印刷した後第２ドラム３ｂを用いて印刷用紙の第２面に第２面用原画像を印刷する）を行う。印刷部３は、テストプリントが終了した場合、そのことを示す情報を制御部６に送る。
【００６３】
ステップＳ４７において、制御部６は、テストプリントで問題があるか否かを問い合わせることを示す情報を表示部４ｂに表示させる。ユーザは、操作部４ａを用いて、テストプリントに問題があるか否かを示す情報を入力する。制御部６は、テストプリントに問題があることを示す情報が入力された場合、ステップ５１の処理へ移行し、テストプリントに問題がないことを示す情報が入力された場合、ステップ４８の処理へ移行する。
【００６４】
ステップＳ４８において、制御部６は、印刷枚数の設定を要求する情報を表示部４ｂに表示させる。ユーザは、操作部４ａを用いて、印刷枚数を示す情報を入力する。制御部６は、上記印刷枚数を内蔵する印刷枚数カウンタにセットする。
【００６５】
ステップＳ４９において、制御部６は、図示しない給紙機構を制御して、印刷用紙を印刷部３に１枚給紙し、印刷用紙の第１面に、第１ドラム３ａを用いて第１面用原画像を印刷するか、または、印刷用紙の第１面に第１ドラム３ａを用いて第１面用原画像を印刷した後印刷用紙の第２面に第２ドラム３ｂを用いて第２面用原画像を印刷するように印刷部３に指示する。印刷用紙１枚に対する印刷処理が終了した場合、印刷部３は、そのことを示す情報を制御部６に送る。制御部６は、印刷枚数カウンタにセットされた値から１を差し引く。
【００６６】
ステップＳ５０において、制御部６は、印刷枚数カウンタにセットされた値が０であるか否かを判定し、０である場合には、孔版印刷装置１０における印刷制御処理を終了し、０でない場合には、ステップ４９の処理へ移行する。
【００６７】
ステップＳ５１において、制御部６は、テストプリントに問題があるのは印刷用紙の第１面であるか否かの問い合わせを示す情報を表示部４ｂに表示させる。ユーザは、操作部４ａを用いて、印刷用紙の第１面であるか、第２面であるかを示す情報を入力する。テストプリントに問題があるのは第１面である場合には、そのことを示す情報が入力され、この場合、制御部６は、ステップＳ３５の処理へ移行する。テストプリントに問題があるのは第２面である場合には、そのことを示す情報が入力され、この場合、制御部６は、ステップＳ４３の処理へ移行する。
【００６８】
なお、ステップ５１でYESと判定された場合、ステップ３５を介して、再度、ステップ３１から、ステップ３７までの処理が行われるが、その後、ステップ３８ではNOと判定され、ステップ４６の処理が行われることになる。
【００６９】
また、ステップ３４やステップ４２の処理により、制御部６は、原画像が読み取られるごとに、原画像を印刷用紙に印刷させるか否かを制御する（すなわち、原画像の印刷に必要な製版、着版処理を行うか否かを制御する）。具体的には、制御部６は、操作部４ａにより、原画像の傾きが有ることを示す情報が入力された場合（ステップ３４、４２でNOと判定された場合）で、原画像の印刷を不可能にする制御（ステップ３５、４３に移行し、ステップ３６、３７，４４，４５の処理を行わないように制御する）を行い、原画像の傾きが無いことを示す情報が入力された場合（ステップ３４、４２でYESと判定された場合）、原画像の印刷を可能にする制御を行う(ステップ３６、３７，４４，４５の処理を行なう)ように制御する。
【００７０】
（作用効果）
本実施形態の孔版印刷装置１０によれば、原画像を印刷用紙に印刷する前に、原画像の印刷用紙の縦方向または横方向に対する傾きに関連する画像を示す重畳画像を表示するので、原画像の傾きの確認のために、何度も印刷用紙に原画像を印刷する必要がなく、原画像の読み取りと、重畳画像の表示の繰り返しにより、原画像の傾きの発生がなくなるまで、原画像の傾きを確認できる。その後、ユーザは、原画像の傾きがないことを確認してから、孔版印刷装置１０に原画像を印刷用紙に印刷させることが可能である。このため、原画像の傾きの確認のために印刷用紙を無駄にしない孔版印刷装置１０の提供が可能となる。
【００７１】
また、本実施形態の孔版印刷装置１０によれば、上記表示において、印刷用紙の縦方向または横方向に対する原画像の傾きの発生を、ユーザが認識し易い態様で示すことが可能となるので、ユーザは、印刷用紙の縦方向または横方向に対する原画像の傾きを簡単に知ることができる。このため、ユーザは、原画像の傾きがないことを確認してから、印刷装置に原画像を印刷用紙に印刷させる場合において、原画像の傾きの有無を判断するのに時間がかかってしまうことがない。また、従来技術のように、原画像傾き算出手段、原画像傾き補正手段を用いて原画像の傾きを検出・補正することをしないので、検出・補正に要する処理時間が不要となる。この結果、原画像を読み取ってから、原画像の傾きがない状態で、原画像を印刷用紙に印刷するのに要する時間の短縮化を可能にすることができる。
【００７２】
また、従来技術のように、原画像傾き算出手段、原画像傾き補正手段等を用いて画像の傾きを検出・補正する必要がないので、印刷装置を大規模化することなく、コストアップの問題を回避できる。
【００７３】
したがって、本実施形態によれば、原画像の傾きの確認のために印刷用紙を無駄にせず、原画像を読み取ってから、原画像の傾きがない状態で、原画像を印刷用紙に印刷するのに要する時間の短縮化を可能にすることができ、孔版印刷装置を大規模化することなく、コストアップの問題を回避できる。
【００７４】
また、本実施形態によれば、原画像と、原画像を印刷用紙の縦方向または横方向に関して１８０度反転した鏡像画像とを重畳表示することにより、重畳画像の表示を行うので、たとえば、印刷用紙の縦方向または横方向に対する原画像の傾きが有る場合には、重畳画像上で、原画像データと鏡像画像データとの重なりが生じるので、印刷用紙の縦方向または横方向に対する原画像の傾きが、原画像だけが表示される場合に比べて、強調される。すなわち、印刷用紙の縦方向または横方向に対する原画像の傾きに対応するものとして、図１０に示すように、原画像の方向（Ｘ１方向）に対する鏡像画像の方向（Ｘ３方向）の傾きが表示される。ここで、印刷用紙の縦方向または横方向に対する原画像の傾き（角度α１）の２倍の傾きが、原画像の方向に対する鏡像画像の方向の傾き（角度α２）に現れるので、印刷用紙の縦方向または横方向に対する原画像の傾きがよりユーザに明確に認識しやすい態様で表示され、ユーザは、印刷用紙の縦方向または横方向に対する原画像の傾きを簡単、かつ、正確に知ることができる。たとえば、原画像の傾きが僅かな場合であっても、ユーザはこの傾きの発生を簡単に知ることができる。この結果、原画像の傾きが一層ない状態で、原画像を印刷用紙に印刷することが可能となる。
【００７５】
また、本実施形態によれば、制御部６は、原画像が読み取られるごとに、原画像を印刷用紙に印刷させるか否かを制御し、さらに、操作部４ａにより、原画像の傾きが有ることを示す情報が入力された場合、原画像の印刷を不可能にする制御を行い、原画像の傾きが無いことを示す情報が入力された場合、原画像の印刷を可能にする制御を行うので、原画像の傾きがないことを確認した場合に、再度、孔版印刷装置が原画像を読み取る処理を行う必要がなく、そのまま、原画像の傾きがない状態で、原画像を印刷用紙に印刷できる。この結果、原画像を読み取ってから、原画像の傾きがない状態で、原画像を印刷用紙に印刷するのに要する時間の一層の短縮化を可能にすることができる。
【００７６】
また、ユーザは表示部４ｂに表示された重畳画像を目視チェックにより原画像の傾きの有無を判定し、この判定結果を、操作部４ａを用いて入力する。そして、原画像の傾きが有ると判定した場合は、ユーザによりその原因究明と除去が行われる。そして、孔版印刷装置１０は、原画像の傾きの有無の情報に応じ、原画像の傾きがないように、原画像を読み取り、この原画像に基づいて、製版、印刷処理を実行するよう動作する。従って、原画像の傾きがない状態で原画像の印刷が行われるので、原画像の傾きがある状態で製版、印刷処理が行われ孔版原紙や印刷用紙を無駄にしてしまうことが回避される。
【００７７】
また、本実施形態によれば、制御部６は、鏡像画像と前記原画像との間で、表示濃度、或いは表示色のうちの少なくとも一方を異ならせて、重畳画像（重畳画像データ）を生成するので、原画像と鏡像画像とをユーザが識別し易い態様で表示することができ、原画像の方向に対する鏡像画像データの方向の傾きをユーザが簡単に知ることができる。
【００７８】
なお、原稿用紙に対して文書（文字など）が横書きされている原稿の読み取り、印刷については、印刷用紙の縦方向に関して１８０度反転した鏡像画像を用い、原稿用紙に対して文書が縦書きされている原稿の読み取り、印刷については、印刷用紙の横方向に関して１８０度反転した鏡像画像データを用いるようにすれば、上記の効果を得ることができる。
【００７９】
なお、上述の実施形態では、鏡像画像の表示濃度の低下処理について説明したが、表示部４ｂがカラー表示可能なら、原画像の表示色と鏡像画像の表示色（色彩）を変えても良い。
【００８０】
（第２の実施形態）
次に、本発明の第２の実施形態を図面に基づいて説明する。本実施形態において、第１の実施形態と同じ構成、機能、作用効果の説明は省略または簡略化する。図１１は、第２の実施形態に係る印刷装置としての、孔版印刷装置２０の構成を示すブロック図である。
【００８１】
孔版印刷装置２０は、画像読み取り装置１と、製版部２と、印刷部３と、操作パネル部４と、記憶部１５と、制御部１６と、インターフェース部７と、を備えている。なお、画像読み取り装置１、製版部２、印刷部３、操作パネル部４及びインターフェース部７の各々は、第１の実施形態と同一であり、説明を省略する。
【００８２】
記憶部１５は、印刷用紙の縦方向または横方向を示す基準方向画像データを記憶する基準画像記憶部５ｂを備えている。基準方向画像データは、具体的には、ビットマップ展開された各画素に対する画素値で構成されている。基準方向画像は、たとえば、図１５に示すように、印刷用紙の縦方向に平行な垂直ラインＬ１、印刷用紙の横方向に平行な水平ラインＬ２で構成される画像である。垂直ラインＬ１、水平ラインＬ２は、図１５のＸ方向、Ｙ方向の任意の表示位置に操作部４ａからの操作により平行移動可能である。すなわち、操作部４ａによる操作入力（垂直ラインＬ１、水平ラインＬ２を表示させるための位置データに対応する入力）は、制御部１６に送られ、制御部１６は、上記位置データに基づいて、表示部４ｂに、垂直ラインＬ１、水平ラインＬ２を表示させる。
【００８３】
制御部１６は、ページメモリ５ａに記憶されている原画像データと、基準画像記憶部５ｂに記憶されている基準方向画像データとに基づいて、重畳画像データを生成する。そして、制御部１６は、生成した重畳画像データに基づいて、表示部４ｂに、重畳画像を表示させる。すなわち、表示部４ｂは、原画像に、印刷用紙の縦方向及び／または横方向を示す基準方向画像を重畳表示することにより、重畳画像の表示を行う。また、制御部１６は、操作部４ａからの操作入力に基づいて、表示部４ｂに表示される重畳画像における基準方向画像の位置を制御する。
【００８４】
また、制御部１６は、原画像が読み取られるごとに、原画像を印刷用紙に印刷させるか否かを制御する。具体的には、制御部６は、操作部４ａにより、原画像の傾きが有ることを示す情報が入力された場合、原画像の印刷を不可能にする制御を行い、原画像の傾きが無いことを示す情報が入力された場合、原画像の印刷を可能にする制御を行う。この処理の詳細については、第１の実施形態と同様であるので、説明を省略する。
【００８５】
次に、上記のように構成された第２の実施形態に係る孔版印刷装置の動作を、図１２〜図１４に示すフローチャート、及び図１５を参照して説明する。
【００８６】
まず、図１２のステップＳ６１の処理は、ステップＳ３１の処理と同じである。ステップＳ６２において、制御部１６は、ページメモリ５ａに記憶されている原画像データと、基準画像記憶部５ｂに記憶されている基準方向画像データとに基づいて、重畳画像データを生成する。制御部１６は、生成した重畳画像データに基づいて、表示部４ｂに、重畳画像を表示させる。図１５は、表示部４ｂに表示される重畳画像の一例を示す図であり、重畳画像において、原画像２００に、垂直ラインＬ１及び水平ラインＬ２が重畳されている。
【００８７】
ユーザは表示部４ｂに表示される重畳画像を目視チェックし、印刷用紙の横方向（ここでは、横方向の場合について説明するが、縦方向の場合も同様に適用可能）に対する原画像の傾きの有無を判断する。即ち、ユーザは表示部４ｂに表示された重畳画像を見ながら、基準方向画像が示す印刷用紙の横方向（図１５でいうＸ１１方向）に対する、原画像内の文字或いは画像の印刷用紙１００の横方向（Ｘ１方向）に沿った並びの方向（図１５でいうＸ１方向）の傾き（言い換えると、原画像内の文字或いは画像の印刷用紙の横方向に沿った並びの方向と、基準方向画像が示す印刷用紙の横方向とが平行か否か、すなわち、原画像の傾き）の有無を判断する。この場合、操作部４ａによる操作入力により、制御部１６は、垂直ラインＬ１、水平ラインＬ２の表示位置を重畳画像内の好適な位置（上述の平行か否かの判断がしやすい位置）に移動させることも可能である。
【００８８】
この結果、重畳画像の表示によって、第１実施形態と同じく、原画像の傾きが強調されて表示されるので、ユーザは、表示された重畳画像を見ることにより、表示された原画像のみを見る場合に比べて、原画像の傾きがより明確にわかる。
【００８９】
ステップＳ６３以降の処理では、以下の処理を除いて、第１の実施形態で示したステップＳ３４以降と同じ処理が行われる。すなわち、ステップＳ４０、ステップＳ４１の代わりに、ステップＳ６９の処理が行われる。ステップＳ６９の処理は、読み取られた原稿が異なる以外は、ステップＳ６２と同様の処理である。
【００９０】
（作用効果）
以上説明したように、本実施形態では、画像読み取り装置１で読み取った原画像が印刷用紙に印刷される前に、表示部４ｂでは、原画像と、印刷用紙の縦方向及び横方向を示す基準方向画像、たとえば、図１５に示した垂直ラインＬ１，水平ラインＬ２とを重畳した重畳画像が表示される。この際、ユーザが操作部４ａを用いて操作を行うことにより、操作部４ａによる操作入力が制御部１６に入力され、制御部１６は、表示部４ｂに表示される重畳画像内において、原画像の表示位置に対して、垂直ラインＬ１，水平ラインＬ２の表示位置を所望の表示位置に移動することが可能である。
【００９１】
この表示により、ユーザは、基準方向画像が示す印刷用紙の横方向に対する、原画像内の文字或いは画像の印刷用紙の横方向に沿った並びの方向の傾き（言い換えると、原画像内の文字或いは画像の印刷用紙の横方向に沿った並びの方向と、基準方向画像が示す印刷用紙の横方向とが平行か否か、すなわち、原画像の傾き）の有無を判断することが可能となる。この結果、重畳画像の表示によって、第１実施形態と同じく、原画像の傾きが強調されて表示されるので、ユーザは、表示された重畳画像を見ることにより、表示された原画像のみを見る場合に比べて、原画像の傾きがより明確にわかる。
【００９２】
また、操作部４ａにより、表示部４ｂ上で、垂直ラインＬ１及び水平ラインＬ２の表示位置を適宜移動できるので、図１５に示すように、垂直ラインＬ１を横書きされている文書（原画像に対応する）の左端に合わせ、水平ラインＬ２を横書きされている文書の下部に合わせるなどして、ユーザが認識し易い態様での垂直ラインＬ１、水平ラインＬ２の表示が可能となる。
【００９３】
なお、上記した第２の実施形態では、基準方向画像として、垂直ラインＬ１、水平ラインＬ２の双方を原画像に重畳して重畳画像を表示する例について説明したが、垂直ラインＬ１或いは水平ラインのうちのいずれか一方を原画像に重畳して重畳画像を表示するようにしてもよい。例えば、印刷用紙に対して、文書が横書きされている場合には、水平ラインＬ２を重畳させることにより、文書の左端、右端にズレが生じているか否かが判断できる。他方、印刷用紙に対して、文書が縦書きされている場合には、垂直ラインＬ１を重畳させることにより、文書の上端、下端にズレが生じているか否かが判断できる。
【００９４】
また、上記した第２の実施形態では、基準方向画像として、垂直ラインＬ１、水平ラインＬ２或いはその組み合わせを用いる例について説明したが、これに限定されるものではなく、垂直ラインＬ１、水平ラインＬ２以外の枠線、図形等の、印刷用紙の縦方向、或いは横方向を定義付けることが可能な他の画像を用いることも可能である。
【００９５】
（変更例）
印刷用紙の縦方向または横方向に対する原画像の傾きに関連する画像を示す重畳画像として、第１の実施形態では、原画像と鏡像画像とを重畳した画像、第２の実施形態では、原画像と基準方向画像とを重畳した画像について説明したが、これに限定されず、印刷用紙の縦方向または横方向に対する原画像の傾きに関連する画像であれば、どのような形態であってもよい。たとえば、重畳画像として、原画像の文字や画像の縦方向または横方向に沿った方向を示す画像と、印刷用紙の縦方向または横方向を示す画像とを重ね合わせるようにしてもよい。
【００９６】
以上、本発明の印刷装置を第１の実施形態、第２の実施形態、その変更例に基づいて説明したが、本発明はこれに限定されるものではなく、各部の構成は、同様の機能を有する任意の構成のものに置き換えることができる。
【００９７】
たとえば、上記した各実施形態などでは、印刷装置として孔版印刷装置を例に挙げて説明したが、本発明は、これに限定されるものではなく、画像読み取り装置で読み取った原画像を印刷する機能を備えた他の印刷装置、たとえば、コピー機、複合機等に対しても適用が可能である。
【００９８】
また、上記した各実施形態では、両面印刷を例に挙げて説明したが、本発明はこれに限定されるものではなく、片面印刷の場合でも適用できる。
【００９９】
更に、上記した各実施形態では、ガラス台上に原稿を載置して画像を読み取る画像読み取り装置の例について説明したが、ＡＤＦ（自動原稿送り装置）を用いて送られた原稿の画像を読み取る画像読み取り装置についても適用できる。
【図面の簡単な説明】
【０１００】
【図１】本発明の第１の実施形態に係る印刷装置の構成を示すブロック図である。
【図２】本発明の第１の実施形態に係る印刷装置の処理手順を示すフローチャートの、第１の分図である。
【図３】本発明の第１の実施形態に係る印刷装置の処理手順を示すフローチャートの、第２の分図である。
【図４】本発明の第１の実施形態に係る印刷装置の処理手順を示すフローチャートの、第３の分図である。
【図５】原画像の傾きが生じていない場合において、原画像の例を示す説明図である。
【図６】原画像の傾きが生じている場合において、原画像の例を示す説明図である。
【図７】原画像の傾きが生じていない場合において、鏡像画像の例を示す説明図である。
【図８】原画像の傾きが生じている場合において、鏡像画像の例を示す説明図である。
【図９】原画像の傾きが生じていない場合において、重畳画像の例を示す説明図である。
【図１０】原画像の傾きが生じている場合において、重畳画像の例を示す説明図である。
【図１１】本発明の第２の実施形態に係る印刷装置の構成を示すブロック図である。
【図１２】本発明の第２の実施形態に係る印刷装置の処理手順を示すフローチャートの、第１の分図である。
【図１３】本発明の第２の実施形態に係る印刷装置の処理手順を示すフローチャートの、第２の分図である。
【図１４】本発明の第２の実施形態に係る印刷装置の処理手順を示すフローチャートの、第３の分図である。
【図１５】原画像の傾きが生じていない場合において、重畳画像の例を示す説明図である。
【図１６】従来における印刷装置の構成を示すブロック図である。
【符号の説明】
【０１０１】
１  画像読み取り装置
２  製版部
３  印刷部
３ａ  第１ドラム
３ｂ  第２ドラム
４  操作パネル部
４ａ  操作部
４ｂ  表示部
５  記憶部
５ａ  ページメモリ
５ｂ  基準画像記憶部
６  制御部
７  インターフェース部
８  画像処理部
１０  孔版印刷装置
１５  記憶部
１６  制御部
２０  孔版印刷装置
Ｌ１  垂直ライン
Ｌ２  水平ライン
【図１】
0004619960.tif 000002
【図２】
0004619960.tif 000003
【図３】
0004619960.tif 000004
【図４】
0004619960.tif 000005
【図１１】
0004619960.tif 000006
【図１２】
0004619960.tif 000007
【図１３】
0004619960.tif 000008
【図１４】
0004619960.tif 000009
【図１５】
0004619960.tif 000010
【図１６】
0004619960.tif 000011
【図５】
0004619960.tif 000012
【図６】
0004619960.tif 000013
【図７】
0004619960.tif 000014
【図８】
0004619960.tif 000015
【図９】
0004619960.tif 000016
【図１０】
0004619960.tif 000017